(57)【要約】      （修正有）【課題】ガス透過度測定前の準備時間の短縮化を図りつつ、極力、小型化を図ることができるガス透過度測定装置を提供する。【解決手段】上側セル２が下側セル３に倒伏したときに、上側セル２と下側セル３とにより試料膜５が挟持され、上側セル２と試料膜５との間に、測定ガスが供給された状態とされる一方側区画空間６が形成されると共に、下側セル３と試料膜５との間に、圧力が一方区画空間６の圧力よりも低下される他方側区画空間７が形成される。その上で、上側セル２に、一方側区画空間６と大気とを連通させる連通孔１３が形成され、上側セル２の一方側区画空間６に対して測定ガスを供給するためのガス供給路１２が連なり、ガス供給路１２にはその途中においてガス流路を確保した状態で水を溜める水槽３４が介在され、その水槽３４が下側セル３の内部に収納されている。【選択図】図２
2020085834.tif 000002
【特許請求の範囲】
【請求項１】
一方のセルが他方のセルに対して起倒伏可能に設けられ、前記一方のセルが前記他方のセルに対して倒伏したとき、該一方のセルと該他方のセルとが試料膜を挟持するように設定され、前記一方のセルと前記他方のセルとが試料膜を挟持しているとき、該一方のセルと該試料膜との間に、測定ガスが供給された状態とされる一方側区画空間が形成されると共に、前記他方のセルと前記試料膜との間に、圧力が前記一方区画空間の圧力に対して調整される他方側区画空間が形成されるガス透過度測定装置において、
前記一方のセルに、前記一方側区画空間と大気とを連通させる連通孔が形成され、
前記一方のセルにおける一方側区画空間に対して、前記測定ガスを供給するためのガス供給路が連なり、
前記ガス供給路には、その途中において、ガス流路を確保した状態で水を溜める水槽が介在され、
前記水槽が、前記他方のセルの内部に収納されている、
ことを特徴とするガス透過度測定装置。
【請求項２】
請求項１において、
前記ガス供給路に対して、所定乾き度のガスが供給されるように設定されていると共に、該ガス供給路に前記ガスの流量を調整する流量調整弁が介装されている、
ことを特徴とするガス透過度測定装置。
【請求項３】
請求項２において、
前記一方側区画空間の湿度を検出する湿度センサが備えられている、
ことを特徴とするガス透過度測定装置。
【請求項４】
請求項１〜３のいずれか１項において、
前記一方のセルの内部と前記他方のセルの内部とに、温度調整媒体を流すための内部循環空間がそれぞれ形成され、
前記一方のセルと前記他方のセルとが循環配管により接続されて、該一方のセルの内部循環空間、該他方のセルの内部循環空間及び該循環配管内が協働して前記温度調整媒体を循環させる循環路を構成するようにされ、
前記水槽が、前記他方のセル内部の内部循環空間内に配置され、
前記ガス供給路が、少なくとも、前記水槽から前記一方のセルまでの間において、前記循環配管内に、該循環配管と該ガス供給路との間に環状空間を形成するようにしつつ収納されている、
ことを特徴とするガス透過度測定装置。
【請求項５】
請求項１〜４のいずれか1項において、
前記一方側区画空間の圧力を検出する高圧側圧力センサと、
前記他方側区画空間の圧力を検出する低圧側圧力センサと、
前記高圧側圧力センサからの検出情報と前記低圧側圧力センサからの検出情報とに基づき、測定開始時点及び各測定時点について、前記一方側区画空間の圧力と前記側区画空間の圧力との間の差圧をそれぞれ演算し、その演算情報に基づき、各測定時点における測定時差圧に対する測定開始時差圧の割合を演算し、前記各測定時点における測定圧力と該各測定時点の一つ前における測定時点の測定圧力との差分を演算し、しかも、前記割合と前記差分とを乗じた値を、補正量として演算する補正量演算部と、
前記低圧側圧力センサが検出した各測定時点における測定圧力の補正圧力を、ガス透過度の算出に用いるものとして、該各測定時点の一つ前における測定時点の補正圧力に、前記補正量演算部が演算した該各測定時点における補正量を加算することにより求める補正圧力演算部と、
が備えられている、
ことを特徴とするガス透過度測定装置。
【発明の詳細な説明】
【技術分野】
【０００１】
本発明は、ガス透過度測定装置に関する。
【背景技術】
【０００２】
ガス透過度測定装置には、特許文献１に示すように、水蒸気の透過度を測定するものが提案されている。具体的には、試料膜を挟持して該試料膜との間で内部区画空間をそれぞれ形成する一対のセルと、該一対のセルのうちの一方のセルの内部区画空間に水蒸気を供給する水蒸気発生装置と、該水蒸気発生装置と前記一方のセルとの間に介在されて該一方のセルにおける内部区画空間内の蒸気圧を調節する流量調整用弁と、前記一対の各セルの内部区画空間の圧力をそれぞれ検出する圧力センサと、前記一対のセルの内部区画空間を減圧ないし真空にするための真空ポンプと、が備えたものが示されている。このものによれば、両セルの内部区画空間内を真空状態とした上で、流量調整弁を開放して一方のセルにおける内部区画空間内に水蒸気を供給すれば、他方のセルにおける内部区画空間内の圧力が、一方のセルにおける内部区画空間から試料膜を透過してきた水蒸気により上昇することになる。その圧力上昇を圧力センサで検出し、それを用いて演算すれば、試料膜についての水蒸気透過率が得られる。
【先行技術文献】
【特許文献】
【０００３】
【特許文献１】特許５５５３２８７号公報
【発明の概要】
【発明が解決しようとする課題】
【０００４】
しかし、上記ガス透過度測定装置においては、両セルの内部区画空間内を真空状態としなければならない関係上、真空ポンプから一対の各セルに対して真空引き用の配管をそれぞれ設けなければならないばかりか、水蒸気発生装置を一対のセル外に配置し、そこから一方のセルに配管を接続しなければならず、ガス透過度測定装置は、勢い大型化せざるを得ない。しかも、ガス透過度測定に当たっては、両セルの内部区画空間内を真空状態としなければならず、その両セルの内部区画空間内を真空状態とする時間は、ガス透過度測定前の準備時間として受け入れざるを得ないものとなっている。
【０００５】
本発明は、上記実情に鑑みてなされたもので、その目的は、加湿ガスのガス透過度を測定するガス透過度測定装置において、ガス透過度測定前の準備時間の短縮化を図りつつ、極力、小型化を図ることにある。
【０００６】
前記目的を達成するために本発明にあっては、下記（１）〜（５）とした構成とされている。
【０００７】
（１）一方のセルが他方のセルに対して起倒伏可能に設けられ、前記一方のセルが前記他方のセルに対して倒伏したとき、該一方のセルと該他方のセルとが試料膜を挟持するように設定され、前記一方のセルと前記他方のセルとが試料膜を挟持しているとき、該一方のセルと該試料膜との間に、測定ガスが供給された状態とされる一方側区画空間が形成されると共に、前記他方のセルと前記試料膜との間に、圧力が前記一方区画空間の圧力に対して調整される他方側区画空間が形成されるガス透過度測定装置において、
前記一方のセルに、前記一方側区画空間と大気とを連通させる連通孔が形成され、
前記一方のセルにおける一方側区画空間に対して、前記測定ガスを供給するためのガス供給路が連なり、
前記ガス供給路には、その途中において、ガス流路を確保した状態で水を溜める水槽が介在され、
前記水槽が、前記他方のセルの内部に収納されている構成とされている。
【０００８】
この構成によれば、一方側区画空間と大気とが連通されて、一方側区画空間の圧力が大気圧とされていることから、他方側区画空間の圧力調整を行うだけで測定開始時の差圧調整を行うことができ、真空ポンプから一方のセルにおける一方側区画空間に対して真空引き用の配管を設ける必要がなくなる。また、測定ガスとして加湿ガスのガス透過度を測定するに当たり、その加湿装置（水蒸気発生装置）としての水槽が他方のセルの内部に収納されることから、その他方のセルの内部空間を有効に利用することができる。これにより、当該ガス透過度測定装置を極力、小型化することができる。しかもこの場合、水槽は、起倒伏する一方のセル内ではなく、起倒伏させない他方のセル内に内蔵させることから、一方のセルの起倒伏動に伴う水槽内の水の揺れ等を考慮する必要がなくなり、ガス透過度測定に支障を与えることを防止できる。さらには、一方側区画空間が大気圧とされ、他方側区画空間の圧力調整を行うだけで測定開始時の差圧調整を行うことができ、ガス透過度測定前の準備時間の短縮を図ることができる。
【０００９】
（２）前記（１）の構成の下で、
前記ガス供給路に対して、所定乾き度のガスが供給されるように設定されていると共に、該ガス供給路に前記ガスの流量を調整する流量調整弁が介装されている構成とされている。
【００１０】
この構成によれば、ガスの流量調整弁による流量調整だけで、測定ガスの湿度状態（相対湿度）を調整できることになり、試料膜に対する所望湿度の加湿ガスについてガス透過度を測定することができる。
【００１１】
（３）前記（２）の構成の下で、
前記一方側区画空間の湿度を検出する湿度センサが備えられている構成とされている。
【００１２】
この構成によれば、湿度センサの検出結果に基づき流量調整弁を調整し、一方のセルにおける一方側区画空間の湿度（相対湿度）を的確に所望のものにすることができる。
【００１３】
（４）前記（１）〜（３）のいずれかの構成の下で、
前記一方のセルの内部と前記他方のセルの内部とに、温度調整媒体を流すための内部循環空間がそれぞれ形成され、
前記一方のセルと前記他方のセルとが循環配管により接続されて、該一方のセルの内部循環空間、該他方のセルの内部循環空間及び該循環配管内が協働して前記温度調整媒体を循環させる循環路を構成するようにされ、
前記水槽が、前記他方のセル内部の内部循環空間内に配置され、
前記ガス供給路が、少なくとも、前記水槽から前記一方のセルまでの間において、前記循環配管内に、該循環配管と該ガス供給路との間に環状空間を形成するようにしつつ収納されている構成とされている。
【００１４】
この構成によれば、他方のセルに加湿装置としての水槽が内蔵されるとしても、水蒸気を発生する水槽は勿論、水槽から一方のセルまでの間のガス供給路についても、その周囲が循環路（循環配管）における温度調整媒体により囲われることになり、他方のセルから一方のセルにおける一方側区画空間に測定ガスを供給するに当たり、外部温度によりその湿度状態が変化することを、循環路を流れる温度調整媒体により抑制できる。このため、試料膜に対する所望の加湿状態（相対湿度）にある測定ガスの透過率を的確に測定することができる。
【００１５】
（５）前記（１）〜（４）のいずれかの構成の下で、
前記一方側区画空間の圧力を検出する高圧側圧力センサと、
前記他方側区画空間の圧力を検出する低圧側圧力センサと、
前記高圧側圧力センサからの検出情報と前記低圧側圧力センサからの検出情報とに基づき、測定開始時点及び各測定時点について、前記一方側区画空間の圧力と前記側区画空間の圧力との間の差圧をそれぞれ演算し、その演算情報に基づき、各測定時点における測定時差圧に対する測定開始時差圧の割合を演算し、前記各測定時点における測定圧力と該各測定時点の一つ前における測定時点の測定圧力との差分を演算し、しかも、前記割合と前記差分とを乗じた値を、補正量として演算する補正量演算部と、
前記低圧側圧力センサが検出した各測定時点における測定圧力の補正圧力を、ガス透過度の算出に用いるものとして、該各測定時点の一つ前における測定時点の補正圧力に、前記補正量演算部が演算した該各測定時点における補正量を加算することにより求める補正圧力演算部と、
が備えられている構成とされている。
【００１６】
この構成によれば、大気圧変動、一方のセルにおける一方側区画空間内の圧力と他方のセルにおける他方側区画空間内の圧力との経時的な差圧減少を考慮して、低圧側圧力センサが検出する測定圧力が適正に補正されることになり、その補正圧力を用いることにより、ガス透過度の演算に用いる単位時間当たりの透過圧力変化（勾配）として、極めて精度の高いものを得ることができる。
【発明の効果】
【００１７】
本発明によれば、加湿ガスのガス透過度を測定するガス透過度測定装置において、ガス透過度測定前の準備時間の短縮化を図りつつ、極力、小型化を図ることができる。
【図面の簡単な説明】
【００１８】
【図１】実施形態に係るガス透過度測定装置を示す斜視図。
【図２】実施形態に係るガス透過度測定装置の構造を簡略的に示す説明図。
【図３】実施形態に係る上側セルと下側セルの下でのガス透過度の測定を簡略的に説明する説明図。
【図４】実施形態に係る演算処理装置における演算制御部の機能構造を概念的に示す図。
【図５】一定差圧の下でガス透過度測定が行われる場合（補正後）の単位時間当たりの圧力変化と、差圧変化が生じる状況下でガス透過度測定が行われる場合（補正前）の位時間当たりの圧力変化とを説明する説明図。
【図６】一定差圧の下でガス透過度測定が行われる場合（補正後）の単位時間当たりの圧力変化の経時変化と、差圧変化が生じる状況下でガス透過度測定が行われる場合（補正前）の位時間当たりの圧力変化の経時変化を説明する説明図。
【図７】差圧変化が生じる状況下でガス透過度測定が行われる場合（補正前）の単位時間当たりの圧力変化と、一定差圧の下でガス透過度測定が行われる場合（補正後）の単位時間当たりの圧力変化との関係を説明する説明図。
【図８】図７の拡大説明図。
【発明を実施するための形態】
【００１９】
以下、本発明の実施形態を図面に基づいて説明する。
【００２０】
図１において、符号１は、ガス透過度測定方法が使用されるガス透過度測定装置を示す。このガス透過度測定装置１は、試料膜５を挟持するための一方のセルとしての上側セル２と、他方のセルとしての下側セル３とを備えている。上側セル２は、下側セル３に対して起倒伏可能に支持されており、下側セル３に対して上側セル２が倒伏したきには、下側セル３の支持面３ａと上側セル２の押圧面２ａとが合わさり、その上側セル２と下側セル３とによりチャンバー４が形成される。
【００２１】
前記ガス透過度測定装置１は、簡略的には、図２、図３をもって示すことができる。前記下側セル３の支持面３ａは、ガス透過度を測定すべき試料膜５を載置すべき面とされており、その下側セル３の支持面３ａに試料膜５が載置された状態で、上側セル２が下側セル３に対して倒伏されたときには、下側セル３と上側セル２とは試料膜５を挟持することになる(図２、図３に示す状態)。この上側セル２の押圧面２ａ及び下側セル３の支持面３ａには、凹所６，７が形成されており、上側セル２と下側セル３とが試料膜５を挟持しているときには、凹所６は、その開口が試料膜５により塞がれることにより一方側区画空間（以下、凹所６と同符号を用いる）を形成し、凹所７は、その開口が試料膜５により塞がれることにより他方側区画空間（以下、凹所７と同符号を用いる）を形成する。この上側セル２の凹所６周壁にはシールリング８が設けられ、下側セル３の凹所７内には濾紙９が収納されている。これにより、上側セル２が下側セル３に対して倒伏されたときには、上側セル２におけるシールリング８が、濾紙９が凹所７内に収納された支持面３ａ上に配置された試料膜５をその下側セル３の支持面３ａに押し付けることになり、下側セル３の支持面３ａと上側セル２の押圧面２ａとの間において、シールリング８の径方向内方側は、径方向外方側に対して気密性が確保されることになる。尚、図１においては、符号１０は、面積が小さい試料膜５を測定すべく、前記シールリング８よりも小さい径のシールリングを取付けるために、上側セル２の押圧面２ａに形成される環状溝１０である。符号５３は、上側セル２が下側セル３に対して倒伏されたとき、上側セル２が下側セル３に対して押し付けられた状態を保持するための保持具である。
【００２２】
前記上側セル２の一方側区画空間６には、図２、図３に示すように、ガス供給路１２と大気連通孔１３とが開口されている。ガス供給路１２は、外部から測定ガスを上側セル２の一方側区画空間６に供給する役割を有しおり、そのガス供給路１２は、上側セル２内部においては、その内部に形成される加工孔１４(簡略的に図示)をもって構成されている。大気連通孔１３は、上側セル２の一方側区画空間６と大気とを連通させる役割を有しており、測定ガスが上側セル２の一方側区画空間６に供給された状態になっていても、大気連通孔１３が余剰な測定ガスを排出することになり、上側セル２の一方側区画空間６は、大気圧に維持される。また、この大気連通孔１３には、湿度センサ５０が臨んでおり、その湿度センサ５０により大気圧下での一方側区画空間６内の相対湿度が検出される。
【００２３】
前記下側セル３の他方側区画空間７には、図２、図３に示すように、通路１５が開口されている。通路１５は、ガス透過度の測定を行うに当たり、下側セル３の他方側区画空間７内を所定減圧状態（所定真空状態）とするために真空引きする真空引き用通路としての役割を有すると共に、ガス透過度の測定中に、下側セル３における他方側区画空間７の圧力を検出するための圧力導出通路としての役割を有している。このため、通路１５には、図３に示すように、バルブ１６を介して真空ポンプ１７が関連付けられていると共に、下側セル３における他方側区画空間７の圧力を検出する低圧側圧力センサ１８が関連付けられている。
【００２４】
前記上側セル２及び前記下側セル３には、図２に示すように、それらを常に一定温度にすべく、温度調整媒体としての一定温度の循環水が満たされた温度調整循環通路(循環路)２０が組み込まれている。温度調整循環通路２０は、下側セル３内部に形成される内部循環空間２１と、下側セル３内部に形成される内部循環空間２２と、それらを、循環路として連通させる接続管(可撓性接続ホース)２３，２４とにより構成されている。その接続管２３，２４のうちの一つである接続管２３(図１参照)には、図示を略す循環ポンプ、循環水の温度を一定にするための温度調整装置が介装されており、その循環ポンプにより、循環水は、図２の矢印に示すように、温度調整循環通路２０を循環することになる。
【００２５】
前記ガス供給路１２は、図２に示すように、図示を略すガス源から、前記下側セル３内、前記接続管２４内を経由した上で、前記上側セル２における加工孔１４（一方側区画空間６）に連なっている。
【００２６】
より具体的には、ガス供給路１２は、図１に示すように、図示を略すガス源から下側セル３までは接続管３１もって構成されている。その接続管３１は、下側セル３に接続されており、この接続管３１には、図示を略すガス源から所定の乾き度のガスが供給され、そのガスの流量は、接続管３１に介装された流量調整弁３３により調整できることになっている。この場合、ガス源から供給されるガスとしては、空気、酸素、窒素等、種々のものを用いることができる。
【００２７】
ガス供給路１２は、下側セル３内では、図２に示すように、ガス供給路１２を拡張することにより、水Ｗを溜める水槽３４を形成している。この水槽３４は、外部から水の補給を可能とすべく、下側セル３の上面から外部に開口するように形成され、その水槽３４の開口は蓋体３５により覆われている。この下側セル３内部には、前記接続管３１に連なる加工孔３６(簡略的に図示)が形成されており、その加工孔３６は、水槽３４内に、その水槽３４内の水面Ｗｓよりも高い位置において開口されて、図示を略すガス源からのガスは水槽３４の水面Ｗａ上に供給されることになっている。また、下側セル３内部には、加工孔３８(簡略的に図示)が形成されており、その加工孔３８の一端開口は、水槽３４内に、その水槽３４内の水面Ｗｓよりも高い位置において開口されている。これにより、図示を略すガス源から供給されるガスは、水槽３３の水面上を通過することにより、加湿され、それが、加工孔３８に供給される。このとき、ガスは所定の乾き度とされていることから、流量調整弁３３によりガスの流量を調整するだけで、ガスの加湿度（相対湿度）を調整できることになる。この結果、湿度センサ５０の検出結果に基づき手動又は自動をもって流量調整弁３３の流量を調整することにより、測定ガスの加湿度（相対湿度）を所望のものにできることになる。
【００２８】
この場合、前記接続管２４内は、下側セル３の内部循環空間２２と連なっており、その循環水は、接続管２４内に導かれることになっている。
【００２９】
前記ガス供給路１２は、下側セル３から上側セル２までにおいては、図２に示すように、接続管４１もって構成されている。その接続管４１の一端側が下側セル３の加工孔３８に連なっている一方、その接続管４１の一端部よりも他端側は、前記接続管２４内に環状空間４２が形成されるようにした状態で収納されている。これにより、下側セル３における内部循環空間２２における所定温度の循環水は、接続管２４内の環状空間４２を下側セル３から上側セル２に流れて、上側セル２及び下側セル３を一定温度にするだけでなく、接続管４１内を下側セル３から上側セル２内に向けて流れる加湿測定ガスの加湿度状態が外部温度の影響を受けて変化することを抑制する。
【００３０】
上記接続管４１の他端部は、図２に示すように、前記接続管２４よりも延出されて、上側セル２の前記加工孔１４に連なっている。これにより、測定ガスとしての加湿ガスは、その加工孔１４から上側セル２における一方側区画空間６に供給されることになる。
【００３１】
ガス透過度測定装置１は、図３に示すように、試料膜５に対するガス透過度ＧＴＲを算出するべく、演算処理装置５１を備えている。このため、演算処理装置５１には、前記低圧側圧力センサ１８からの圧力情報、前記高圧側圧力センサ５５からの大気圧情報が入力される。この演算処理装置５１には、コンピュータとしての機能を確保すべく、記憶部５１Ａと、演算制御部５１Ｂと、ディスプレイ等の表示部５１Ｃとが備えられている。記憶部５１Ａは、ＲＯＭ(Read Only Memory)やＲＡＭ(Random Access Memory)等の記憶素子をもって構成され、その記憶部５１Ａには、必要な情報として、ガス透過度ＧＴＲを求める下記（数１）式、（数２）式、その（数１）(数２)式において用いられる定数、固定値等が格納されている。
【００３２】
（数１）
ＧＴＲ＝Ｖ×（１／Ｒ）×（１／Ａ）×（１／Ｔ）×（１／Ｐｄｏ）×（ｄＰｐ／ｄｔ）
ここで、ＧＴＲ：ガス透過度［ｍｏｌ／（ｍ2・Ｓ・Ｐａ）］
Ｖ：下側セル３のセル容積［ｍ3］
Ｒ：気体定数［ｍ3・Ｐａ／（Ｋ・ｍｏｌ）］
Ａ：透過面積（ｍ2）
Ｔ：試験温度［Ｋ］
Ｐｄｏ：測定開始時の差圧［Ｐａ］（Ｐｄｏ＝Ｐｈｏ−Ｐｔｏ）
Ｐｈ：測定時点の大気圧［Ｐａ］
Ｐｔｏ：下側セル３内における測定開始時圧力［Ｐａ］
Ｐｈｏ：測定開始時の大気圧［Ｐａ］
Ｐｐ：下側セル３内における測定圧力の補正圧力［Ｐａ］
ｄＰｐ／ｄｔ：単位時間当たりの補正圧力変化［Ｐａ／ｓ］
【００３３】
（数２）
Ｐｐn＝Ｐｐn-1＋１／（１−α）×（Ｐｔn−Ｐｔn-1）
＝Ｐｐn-1＋（Ｐｄｏ／Ｐｄ）×（Ｐｔn−Ｐｔn-1）
ここで、ｎ＝１，２，３・・・・（サンプリング回数）
Ｐｐ：下側セル３内における測定圧力の補正圧力［Ｐａ］
Ｐｔ：下側セル３内における測定圧力［Ｐａ］
Ｐｈ：測定時点の大気圧［Ｐａ］
Ｐｔｏ：下側セル３内における測定開始時圧力［Ｐａ］
Ｐｈｏ：測定開始時の大気圧［Ｐａ］
Ｐｄ：測定時点の差圧（Ｐｄ＝Ｐｈ−Ｐｔ）
Ｐｄｏ：測定開始時の差圧（Ｐｄｏ＝Ｐｈｏ−Ｐｔｏ）
α：差圧変化率（α＝（Ｐｄｏ−Ｐｄ）／Ｐｄｏ）
【００３４】
また、必要なプログラムとしては、補正量演算（差圧演算（Ｐｄ＝Ｐｈ−Ｐｔ、Ｐｄｏ＝Ｐｈｏ−Ｐｔｏ）、割合演算（Ｐｄｏ／Ｐｄ）、差分演算（Ｐｔn−Ｐｔn-1）、補正量算出（Ｐｄｏ／Ｐｄ）×（Ｐｔn−Ｐｔn-1））、補正圧力演算（Ｐｐn＝Ｐｐn-1＋（Ｐｄｏ／Ｐｄ）×（Ｐｔn−Ｐｔn-1））、勾配演算（単位時間当たりの補正圧力変化演算：ｄＰｐ／ｄｔ）、ガス透過度演算（ＧＴＲ）等に関するものが記憶部５１Ａに格納されている。
【００３５】
演算制御部５１Ｂは、ＣＰＵ(Central Processing Unit)をもって構成されており、演算制御部５１Ｂは、記憶部５１Ａから読み出されたプログラムに基づき、図４に示すように、補正量演算部６１と、補正圧力演算部６２と、勾配演算部６３と、ガス透過度演算部６４等として機能し、補正量演算部６１は、さらには、差圧演算部６１Ａ、割合演算部６１Ｂ、差分演算部６１Ｃ、補正量算出部６１Ｄとしての役割を果たす。
【００３６】
演算処理装置５１は、ガス透過度ＧＴＲの精度を高めるため、下側セル３における他方側区画空間７の圧力（以下、下側セル内圧力）Ｐｔの補正処理を行った上で、ガス透過度ＧＴＲを算出する。
【００３７】
ガス透過度ＧＴＲの算出には、一般的な規格計算式として、下記(数３)式が用いられる。その(数３)式を用いるに当たっては、(数３)式中のｄＰ／ｄｔ（単位時間当たりの下側セル３内圧力）変化（Ｐａ／ｓ））については、経過時間に対する下側セル３内圧力を測定して（ガス透過曲線の作成）、そのガス透過の定常状態を示す直線部分の傾き(勾配)を得ることにより求められ、それを(数３)式に代入することによりガス透過度ＧＴＲが導き出される。
【００３８】
（数３）
ＧＴＲ＝Ｖ×（１／Ｒ）×（１／Ａ）×（１／Ｔ）×（１／Ｐｄ）×（ｄＰ／ｄｔ）
ここで、ＧＴＲ：ガス透過度［ｍｏｌ／（ｍ2・Ｓ・Ｐａ）］
Ｖ：下側セル３のセル容積［ｍ3］
Ｒ：気体定数［ｍ3・Ｐａ／（Ｋ・ｍｏｌ）］
Ａ：透過面積（ｍ2）
Ｔ：試験温度［Ｋ］
Ｐｄ：測定時点の差圧（高圧側圧力Ｐｈ−低圧側圧力Ｐｔ）
ｄＰ／ｄｔ：単位時間当たりの圧力変化［Ｐａ／ｓ］
【００３９】
しかし、経過時間に対する下側セル３内圧力を測定（ガス透過曲線の作成）した場合、時間の経過に伴い、下側セル３内圧力が上昇する結果、大気圧Ｐｈと下側セル３内との差圧Ｐｄ＝Ｐｈ−Ｐｔが減少する。このため、下側セル３内圧力は、時間の経過に伴い、図５（補正前参照）に示すように、個々の状況に応じて徐々に飽和値(圧力)に近づき、また、単位時間当たりの下側セル３内圧力変化ｄＰ／ｄｔ（勾配）の経時的な変化は、図６（補正前参照）に示すように、単調に減少する傾向となる。この結果、測定開始時の差圧が同一であることを条件とすると、ガス透過度測定において、経時的に差圧減少を生じる場合のｄＰ／ｄｔ（勾配）は、差圧Ｐｄが一定値である場合のｄＰ／ｄｔ（勾配）よりも小さい傾向を示し、さらには直線性も低下することとなり、その特定が容易でないばかりか、仮にその特定を行ったとしても、その特定により得られるｄＰ／ｄｔ(勾配)は、精度が高いものとは言えない。また、上側セル２内圧力である大気圧Ｐｈは、気候変動、測定場所の違い等により変動し、差圧Ｐｄ＝Ｐｈ−Ｐｔに変動を与えることになり（図７、図８参照）、単位時間当たりの下側セル３内圧力変化ｄＰ／ｄｔ（勾配）は、その大気圧の変動に応じた影響をも受けることにもなる。このため、そのことも、そのｄＰ／ｄｔ(勾配)の特定の容易性、その特定により得られるｄＰ／ｄｔ(勾配)の精度を低める。尚、図５〜図８では、理解を容易にするため誇張表示がなされている。さらには、（数３）式に用いられるＰｄは測定時点の差圧（変動値）であり、このＰｄを用いて（数３）式の下でガス透過度ＧＴＲを算出することは、演算処理装置の負担を高める。
【００４０】
このため、本実施形態においては、演算処理装置５１は、経過時間に対する下側セル３内圧力Ｐｔを補正して経過時間に対する補正圧力Ｐｐを求め（ガス透過直線の作成）、その直線部分の傾き(勾配)から、ｄＰｐ／ｄｔを得ることとしている。後述するように、ｄＰｐ／ｄｔとして的確なものを容易且つ精度良く導き出すことができるからである。
【００４１】
演算処理装置５１は、上記下側セル３内圧力Ｐｔを補正するに当たっては、下側セル３の圧力上昇の勾配値（傾き値）が差圧Ｐｄに比例（ガス透過度が差圧に比例）することに着目し、補正後の下側セル３内圧力の上昇勾配値を、その下側セル３の圧力上昇の勾配値に差圧変化の変化率分（減少率分）の補正（加算）を行ったものとしている。すなわち、図７に示すように、経過時間に対する下側セル３内圧力Ｐｔ（特性線）に対して、真の圧力（補正圧力）Ｐｐ（特性線）が存在するとすれば、下側セル３内圧力Ｐｔの圧力勾配ｄＰｔ／ｄｔが、真の圧力Ｐｐの圧力勾配ｄＰｐ／ｄｔよりもその差圧変化の変化率α分（α×ｄＰｔ／ｄｔ）だけ小さくなると考えられることから、ｄＰｐ／ｄｔ＝ｄＰｔ／ｄｔ＋α×ｄＰｔ／ｄｔの関係が成り立つ。これを整理すれば、下記（数４）式となる。
【００４２】
（数４）
ｄＰｐ／ｄｔ＝（１／（１−α））×ｄＰｔ／ｄｔ
【００４３】
他方、真の圧力Ｐｐについては、ｎ回目のサンプリングタイム時とｎ−１回目のサンプリングタイム時とでは、微分量を使って下記（数５）をもって示すことができる。
【００４４】
（数５）
Ｐｐn＝Ｐｐn-1＋（ｄＰｐ／ｄｔ）×ｄｔ
この（数５）式に（数４）式を代入すれば、下記（数６）式の関係を得る。
【００４５】
（数６）
Ｐｐn＝Ｐｐn-1＋（ｄＰｐ／ｄｔ）×ｄｔ
＝Ｐｐn-1＋（１／（１−α））×（ｄＰｔ／ｄｔ）×ｄｔ
＝Ｐｐn-1＋（１／（１−α））×（Ｐｔn−Ｐｔn-1）
＝Ｐｐn-1＋（Ｐｄｏ／Ｐｄ）×（Ｐｔn−Ｐｔn-1）
【００４６】
上記（数６）式から、測定時点ｔnにおける下側セル３内圧力Ｐｔの補正圧力（真の圧力）Ｐｐnは、１つ前の測定時点ｔn-1における補正圧力Ｐｐn-1に補正量を加算したものとなり、その補正量としては、測定時点ｔnの下側セル３内圧力Ｐｔnと測定時点ｔn-1の下側セル３内圧力Ｐｔn-1との差分Ｐｔn−Ｐｔn-1に、測定開始時点と各測定時点との割合Ｐｄｏ／Ｐｄを乗じたもの（Ｐｄｏ／Ｐｄ）×（Ｐｔn−Ｐｔn-1）となる。この場合、Ｐｄとしては、ｔn時とｔn-1時との平均値を利用することができる。すなわち、ｔn時のＰｄをＰｄnとすれば、Ｐｄn＝［（Ｐｈn−Ｐｔn）＋（Ｐｈn-1−Ｐｔn-1）］／２である。
【００４７】
以上の内容から、演算処理装置５１は、高圧側圧力センサ５５及び低圧側圧力センサ１８から圧力情報が入力されると、補正量演算部６１が、その各要素６１Ａ〜６１Ｄ(図４参照)により上記内容の処理を行うことにより補正量を導き出す。すなわち、各測定時点において、差圧演算部６１Ａが、測定開始時点及び各測定時点について、差圧Ｐｄ＝Ｐｈ−Ｐｔ、Ｐｄｏ＝Ｐｈｏ−Ｐｔｏをそれぞれ演算し、割合演算部６１Ｂは、各測定時点において、差圧演算部６１Ａからの情報に基づき、各測定時点における割合Ｐｄｏ／Ｐｄを演算する。差分演算部６１Ｃは、各測定時点において、その各測定時点のＰｔnとその各測定時点の一つ前における測定時点のＰｔn-1との差分Ｐｔn−Ｐｔn-1を演算し、補正量算出部６１Ｄは、各測定時点の割合Ｐｄｏ／Ｐｄと各測定時点の差分Ｐｔn−Ｐｔn-1とを乗じた値（Ｐｄｏ／Ｐｄ）×（Ｐｔn−Ｐｔn-1）を、補正量として算出する。また、補正圧力演算部６２は、各測定時点の下側セル３内圧力Ｐｔnの補正圧力Ｐｐnとして、各測定時点の一つ前における測定時点の補正圧力Ｐｐn-1に各測定時点における補正量（Ｐｄｏ／Ｐｄ）×（Ｐｔn−Ｐｔn-1）を加算するものを演算する。具体的には、ｔ0のときには補正圧力Ｐｐ0＝０、ｔ1のときには補正圧力Ｐｐ1＝（Ｐｄ０／Ｐｄ）×Ｐｔ1、ｔ2のときには補正圧力Ｐｐ2＝Ｐｐ1＋（Ｐｄ０／Ｐｄ）×（Ｐｔ２−Ｐｔ１）等となる。
【００４８】
次いで、演算処理装置５１は、その勾配演算部６３が、補正圧力演算部６２が演算した各測定時点の補正圧力Ｐｐを用いて単位時間当たりの補正圧力変化（勾配ｄＰｐ／ｄｔ）を演算し、ガス透過度演算部６４は、その勾配演算部６３が演算した単位時間当たりの補正圧力変化ｄＰｐ／ｄｔと、前述の（数１）式とから、試料膜５に対するガス透過度ＧＴＲを演算する。
【００４９】
このとき、単位時間当たりの補正圧力変化（勾配ｄＰｐ／ｄｔ）を演算するに当たり、補正圧力演算部６２が演算した補正圧力Ｐｐが用いられ、そのＰｐを求めることが、差圧減少に伴う下側セル３内の圧力勾配（ｄＰｔ／ｄｔ）の減少を解消することにあることから、その勾配減少分として、測定開始時差圧Ｐｄｏを基準とした差圧変化率（α＝（Ｐｄｏ−Ｐｄ）／Ｐｄｏ）を、測定開始時差圧が維持される場合の傾きｄＰｐ／ｄｔに乗じたものが認識され、それが、前述の通り、(数４)式を導くために利用されている。このため、上側セル２と下側セル３との間の差圧変化として、下側セル３内の圧力上昇に基づく場合、大気圧変動に基づく場合のいずれの差圧変化が生じても（図７、図８参照）、それらのいずれについても、測定開始時の差圧Ｐｄｏを基準とした差圧変化の変化率として捉えることができ、測定開始時差圧Ｐｄｏを維持した状態の下でガス透過度測定を行う場合に相当する補正圧力Ｐｐを得ることができる。この結果、測定開始時差圧Ｐｄｏの下での試料膜５に応じた勾配ｄＰｐ／ｄｔは、時間の経過にかかわらず一定であることを維持して、高い直線性を示すことになり、勾配演算部６３は、（数１）式で用いるｄＰｐ／ｄｔとして的確なものを容易且つ精度良く導き出すことになる。
【００５０】
また、ガス透過度演算部６４は、ガス透過度測定として測定開始時差圧Ｐｄｏを維持したものに相当する場合のｄＰｐ／ｄｔを（数１）式で用いると共に、その(数１)式において、測定開始時差圧Ｐｄｏを用いることにより単位差圧当たりの値を求めることになり、（数１）式に適合した用い方（測定開始時差圧Ｐｄｏの下での相当値（単位時間当たりの補正圧力ｄＰｐ／ｄｔ）を測定開始時差圧Ｐｄｏで除算）が行われることになる。このため、ガス透過度ＧＴＲとして精度の高い値のものを算出できる。しかもこの場合、単位差圧当たりの値を求めるために、測定開始時差圧Ｐｄｏ(一定値)が用いられることになり、演算処理装置５１の処理負担は軽減されることになる。
【００５１】
このようなガス透過度測定装置１は、次のような順序に従って測定を行う。先ず、図３に示すように、上側セル２と下側セル３とにより試料膜５を挟持した上で、下側セル３における他方側区画空間７が、真空ポンプ１７により大気圧よりも低い所定の減圧状態（所定の真空状態）とされる。次いで、ガス源から所定の乾き度のガスの供給が開始され、そのガスの流量を流量調整弁３３をもって調整することにより水槽３４上でガスの加湿度が調整される。このとき、加湿ガスは連続的に上側セル２における一方側区画空間６に供給されるが、その供給された分だけの加湿ガスが大気連通孔１３から排出されることになり、一方側区画空間６内には、大気圧の下で、流量調整弁３３により調整された加湿度状態の測定ガスが存在する状態となる。
【００５２】
下側セル３における他方側区画空間７の減圧状態が所定の状態となり、流量調整弁３３によってガスの加湿度が所望の相対湿度となると、バルブ１６が閉じられ、試料膜５に対するガス透過度の測定が開始される。ガス透過度の測定に際しては、所定測定タイミング毎に、低圧側圧力センサ１８が、下側セル３における他方側区画空間７の圧力を測定圧力として検出し、高圧側圧力センサ５５が上側セル２における一方側区画空間６の圧力（大気圧）を検出する。この両圧力検出情報は、演算処理装置５１に入力され、演算処理装置５１は、それらに基づき、単位時間当たりの透過圧力変化（勾配：ｄＰ／ｄｔ）を求め、その単位時間当たりの透過圧力変化に基づき、ガス透過度ＧＴＲを求める。
【００５３】
この場合、演算処理装置５１は、単位時間当たりの透過圧力変化（勾配：ｄＰ／ｄｔ）を求めるに際して、各測定時点の透過圧力として、各測定時点の測定圧力Ｐｔに対する補正処理によって得られる補正圧力Ｐｐを用い、その補正圧力Ｐｐを求めるために、測定開始時の差圧Ｐｄｏを基準とした各測定時における差圧変化Ｐｄｏ−Ｐｄの変化率（Ｐｄｏ−Ｐｄ）／Ｐｄｏを用いることにより、各測定時点の測定圧力Ｐｔを、測定開始時の差圧Ｐｄｏ下での値Ｐｐに補正する。これにより、前述したように、単位時間当たりの透過圧力変化として、特定が容易で精度が高い単位時間当たりの補正圧力変化ｄＰｐ／ｄｔを用いることができ、さらには、それに測定開始時差圧Ｐｄｏを用いて、単位差圧当たりの値を的確なものにすることができることになり、ガス透過度ＧＴＲは、精度の高いものとなる。
【００５４】
ガス透過度の測定が所定時間行われると、ガス源からのガスの供給が停止され、バルブ１６等が開かれて、真空ポンプ１７により残留ガスの排気が行われる。この排気により、ガス透過度測定装置１において残留ガスがなくなると、ガス透過度測定の終了となる。
【００５５】
したがって、このようなガス透過度測定装置１においては、一方側区画空間６の圧力が大気圧とされて、他方側区画空間７の圧力調整を行うだけで測定開始時の差圧調整を行うこととしていることから、真空ポンプ１７から上側セル２における一方側区画空間６に対して真空引き用の配管を設ける必要がなくなる。また、水槽３４が下側セル３の内部に収納されることから、その下側セル３の内部空間を有効に利用することができる。これにより、ガス透過度測定装置１を極力、小型化することができる。しかもこの場合、水槽３４は、起倒伏する上側セル２内ではなく、起倒伏させない下側セル３内に内蔵させることから、上側セル２の起倒伏動に伴う水槽３４内の水の揺れ等を考慮する必要がなくなり、ガス透過度測定に支障を与えることを防止できる。さらには、他方側区画空間７の圧力調整（真空引き）を行うだけで測定開始時の差圧調整を行うことができ、ガス透過度測定前の準備時間の短縮を図ることができる。
【００５６】
また、下側セル３に加湿装置としての水槽３４が内蔵されるとしても、接続管４１（ガス供給路１２）が、少なくとも、水槽３４から上側セル２までの間において接続管２４内に、該接続管２４と接続管４１との間に環状空間４２を形成するようにしつつ収納されことになり、下側セル３から上側セル２における一方側区画空間６に測定ガスを供給するに当たり、外部温度によりその湿度状態が変化することを、接続管２４内の環状空間４２を流れる循環水により抑制できることになる。このため、所望の加湿状態（相対湿度）にある測定ガスの透過率を的確に測定することができる。
【００５７】
さらには、大気圧変動及び下側セル３内の圧力上昇に伴う上側セル２内圧力と下側セル３内圧力との経時的な差圧減少を考慮して、各測定時点の下側セル内圧力Ｐｔを、測定開始時の差圧下での値Ｐｐに補正することから、単位時間当たりの補正圧力変化ｄＰｐ／ｄｔ（勾配）の特定を容易且つ精度よく行うことができ、しかも、この単位時間当たりの補正圧力変化ｄＰｔ／ｄｔに測定開始時の差圧Ｐｄｏを用いて単位差圧当たりの値を算出することができることになり、ガス透過度ＧＴＲを、精度を高めた値にできる。
【００５８】
以上実施形態について説明したが本発明にあっては、次の態様を包含する。
（１）ガスには、乾燥ガスだけでなく、水蒸気ガス、水蒸気を含む窒素ガス、酸素ガス等の加湿ガスを含むこと。
（２）一方側区画空間６の圧力に対して他方側区画空間７の圧力を等しく調整する場合（等圧方式）においても、下側セル３の内部に水槽３４を設けることを適用すること。
【産業上の利用可能性】
【００５９】
本発明は、ガス透過度測定前の準備時間の短縮化を図りつつ、極力、小型化を図ることに利用できる。
【符号の説明】
【００６０】
１  ガス透過度測定装置
２  上側セル（一方のセル）
３  下側セル（他方のセル）
６  一方側区画空間
７  他方側区画空間
１２  ガス供給路
１３  大気連通孔
１４  加工孔（ガス供給路）
１８  低圧側圧力センサ
２０  温度調整循環通路（循環路）
２１  内部循環空間
２２  内部循環空間
２４  接続管（循環配管）
３３  流量調整弁
３４  水槽
３６  加工孔（ガス供給路）
３８  加工孔（ガス供給路）
４１  接続管（ガス供給路）
５０  湿度センサ
５５  高圧側圧力センサ
【図１】
2020085834.tif 000003
【図２】
2020085834.tif 000004
【図３】
2020085834.tif 000005
【図４】
2020085834.tif 000006
【図５】
2020085834.tif 000007
【図６】
2020085834.tif 000008
【図７】
2020085834.tif 000009
【図８】
2020085834.tif 000010